(57)【要約】【課題】  画像の閲覧と保護をバランス良く実現すること。【解決手段】  複数のモードから１つを選択して設定し、設定されたモードに応じた撮影を行ない画像データを取得する。取得された画像データを、撮影時に設定されていたモードに関連づけて記録する。記録された画像データを再生し、表示する。表示された画像データに対して処理を施す際に、簡単再生モードが設定されているか否かを判定し、簡単モードが設定されている場合には、処理対象の画像データが簡単撮影モードで撮影されたものか否かを更に判定する。処理対象の画像データが簡単撮影モードで撮影されたものではないと判定した場合には、画像データに処理を加えずに保持する（Ｓ１０１６）。削除処理においてカメラのモードと削除対象が撮影されたモードを比較し（Ｓ１０１２、Ｓ１０１３）両モードが一致する場合には削除処理を行い、一致しない場合には削除処理を行なわない。【選択図】  図１０
2010252122.tif 000002
【特許請求の範囲】
【請求項１】
複数のモードから１つを選択して設定する設定手段と、
前記設定手段にて設定されたモードに応じた撮影を行ない画像データを取得する撮像手段と、
前記撮像手段によって取得された画像データを、撮影時に設定されていたモードに関連づけて記録する記録手段と、
前記記録手段に記録された画像データを再生し、表示する表示手段と、
前記表示手段に表示された画像データに対して処理を施す画像処理手段と、
を備えた画像処理装置であって、
前記画像処理手段は、前記画像データに対して処理を施す際に、所定のモードが設定されているか否かを判定し、該所定のモードが設定されている場合には、処理対象の画像データが該所定のモードに設定された状態で撮影されたものか否かを更に判定し、処理対象の画像データが該所定のモードで撮影されたものではないと判定した場合には、該画像データに処理を加えずに保持することを特徴とする画像処理装置。
【請求項２】
前記画像処理手段は、前記画像データに対する削除要求を受けた場合に、所定のモードが設定されているか否かを判定し、該所定のモードが設定されている場合には、削除対象の画像データが該所定のモードに設定された状態で撮影されたものか否かを更に判定し、処理対象の画像データが該所定のモードで撮影されたものであると判定した場合には、該画像データを削除し、処理対象の画像データが該所定のモードで撮影されたものではないと判定した場合には、該画像データを削除せずに非表示とすることを特徴とする請求項１に記載の画像処理装置。
【請求項３】
前記画像処理手段は、前記画像データに対する編集要求を受けた場合に、所定のモードが設定されているか否かを判定し、該所定のモードが設定されている場合には、編集対象の画像データが該所定のモードに設定された状態で撮影されたものか否かを更に判定し、処理対象の画像データが該所定のモードで撮影されたものであると判定した場合には、該画像データに編集を加えて上書きし、編集対象の画像データが該所定のモードで撮影されたものではないと判定した場合には、該画像データに編集を加えて新規保存することを特徴とする請求項１に記載の画像処理装置。
【請求項４】
前記編集が、前記編集対象の画像データの一部又は全体の色味を補正する処理であることを特徴とする請求項３記載の画像処理装置。
【請求項５】
前記画像処理手段は、前記画像データに対するトリミング要求を受けた場合に、所定のモードが設定されているか否かを判定し、該所定のモードが設定されている場合には、前記トリミング要求の対象の画像データが該所定のモードに設定された状態で撮影されたものか否かを更に判定し、処理対象の画像データが該所定のモードで撮影されたものであると判定した場合には、該画像データにトリミングを施して上書きし、編集対象の画像データが該所定のモードで撮影されたものではないと判定した場合には、該画像データに対するトリミング情報を別途保存することを特徴とする請求項１に記載の画像処理装置。
【請求項６】
設定手段が、複数のモードから１つを選択して設定する設定ステップと、
撮像手段が、前記設定ステップにて設定されたモードに応じた設定で撮影を行ない画像データを取得する撮影ステップと、
記録手段が、前記撮影ステップによって取得された画像データを、撮影時に設定されていたモードに関連づけて記録する記録ステップと、
表示手段が、前記記録ステップで記録された画像データを再生し、表示する表示ステップと、
画像処理手段が、前記表示ステップに表示された画像データに対して処理を施す画像処理ステップと、
を含む画像処理方法であって、
前記画像処理ステップは、前記画像データに対して処理を施す際に、所定のモードが設定されているか否かを判定し、該所定のモードが設定されている場合には、処理対象の画像データが該所定のモードに設定された状態で撮影されたものか否かを更に判定し、処理対象の画像データが該所定のモードで撮影されたものではないと判定した場合には、該画像データに処理を加えずに保持することを特徴とする画像処理方法。
【請求項７】
コンピュータに請求項６に記載の画像処理方法の各ステップを実行させるためのプログラム。
【請求項８】
複数の再生モードを有する画像処理装置であって、
画像データを、当該画像データが撮影された際の撮影モード情報とともに記憶する記憶手段と、
前記記憶手段に記憶されている画像データに対する編集処理を指示するための指示手段と、
前記指示手段により編集処理が指示されたときの前記画像処理装置の再生モードと、前記編集処理が指示された画像データの撮影モード情報との対応関係に応じて、前記編集処理の実行可否を判定する判定手段と、
前記判定手段により実行が可と判定された編集処理を前記編集処理が指示された画像データに施す画像処理手段とを有することを特徴とする画像処理装置。
【請求項９】
さらに、撮像手段を有し、
前記記憶手段が、前記撮像手段で撮影された画像データを、当該画像データが撮影された際の前記撮像手段の撮影モード情報とともに記憶することを特徴とする請求項８記載の画像処理装置。
【請求項１０】
前記編集処理が削除処理であることを特徴とする請求項８又は９記載の画像処理装置。
【請求項１１】
前記編集処理が、画像データの一部又は全体の色味を補正する処理であることを特徴とする請求項８又は９記載の画像処理装置。
【請求項１２】
複数の再生モードを有する画像処理装置の制御方法であって、
記憶手段が、画像データを、当該画像データが撮影された際の撮影モード情報とともに記憶する記憶ステップと、
前記記憶ステップで記憶された画像データに対して、指示手段により編集処理が指示された場合、前記編集処理が指示されたときの前記画像処理装置の再生モードと、前記編集処理が指示された画像データの撮影モード情報との対応関係に応じて、前記編集処理の実行可否を判定する判定ステップと、
画像処理手段が、前記判定ステップにより実行が可と判定された編集処理を前記編集処理が指示された画像データに施す画像処理ステップとを有することを特徴とする画像処理装置の制御方法。
【発明の詳細な説明】
【技術分野】
【０００１】
本発明は、画像データの処理を行う画像処理装置、画像処理方法及びプログラムに関する。
【背景技術】
【０００２】
従来、デジタルカメラ等の画像処理装置においては、複数の撮影モードの何れかを選択して撮影された画像を閲覧したり編集したりすることが可能なものが知られている。また撮影画像を容易に分類し、所望の分類に属する画像のみを容易に再生するため、撮影時の撮影モードを画像データに付加して記録し、再生時に特定の撮影モードで撮影された画像のみを表示するものが知られている（特許文献１）。
【先行技術文献】
【特許文献】
【０００３】
【特許文献１】特開２００４−１２０２２５号公報
【発明の概要】
【発明が解決しようとする課題】
【０００４】
しかしながら、従来は、指定した撮影モードの画像のみを抽出して表示するので、指定された撮影モード以外の撮影モードで撮影した画像は、表示されないので、削除・編集等の操作も出来なかった。
これでは指定した撮影モード外の画像を誤消去することは少ないものの、画像の閲覧の融通性が低かった。
【０００５】
本発明は上記従来技術の課題を解決するためになされたもので、その目的は、画像の閲覧と保護をバランス良く実現することにある。
【課題を解決するための手段】
【０００６】
上述の目的を達成するため、本発明による画像処理装置は、複数のモードから１つを選択して設定する設定手段と、設定手段にて設定されたモードに応じた撮影を行ない画像データを取得する撮像手段と、撮像手段によって取得された画像データを、撮影時に設定されていたモードに関連づけて記録する記録手段と、記録手段に記録された画像データを再生し、表示する表示手段と、表示手段に表示された画像データに対して処理を施す画像処理手段と、を備えた画像処理装置であって、画像処理手段は、画像データに対して処理を施す際に、所定のモードが設定されているか否かを判定し、所定のモードが設定されている場合には、処理対象の画像データが所定のモードに設定された状態で撮影されたものか否かを更に判定し、処理対象の画像データが所定のモードで撮影されたものではないと判定した場合には、画像データに処理を加えずに保持することを特徴とする。
【発明の効果】
【０００７】
以上説明したように本発明によれば、画像の閲覧と保護をバランス良く実現することができる。
【図面の簡単な説明】
【０００８】
【図１】実施形態による撮像装置の一例としてのデジタルカメラの外観図である。
【図２】実施形態によるデジタルカメラの構成を示すブロック図である。
【図３】デジタルカメラ１００の全体的な動作を示すフローチャートである。
【図４】デジタルカメラ１００の静止画記録モードにおける一連の処理を示すフローチャートである。
【図５】デジタルカメラ１００の記録媒体２００に対する記録処理を示すフローチャートである。
【図６】記録媒体２００に記録された静止画ファイルの構成例を示す図である。
【図７】デジタルカメラ１００の再生処理を示すフローチャートである。
【図８】再生処理における、画像なし時の処理を示すフローチャートである。
【図９】再生処理における、再生入力待ちの処理を示すフローチャートである。
【図１０】再生処理における、画像消去処理を示すフローチャートである。
【図１１】再生処理における、画像編集処理を示すフローチャートである。
【図１２】デジタルカメラ１００のファイル解析処理を示すフローチャートである。
【発明を実施するための形態】
【０００９】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。尚、以下に説明する実施形態では、本発明による装置、方法を静止画像と動画との撮影が可能な撮像装置としてのデジタルカメラに適用した場合を例にして説明する。
【００１０】
［デジタルカメラの構成について］
図１は本発明の実施形態としてのデジタルカメラの外観図である。図１において、２８は表示部であり、画像や各種情報を表示する。７２は電源スイッチであり、電源オン、電源オフを切り替える。６１はシャッターボタンである。６０はモード切替スイッチであり、デジタルカメラ１００における各種モードを切り替える。より具体的には、静止画記録モード、動画記録モード、再生モード等のモードの切り替えが可能である。なお後述するが、静止画記録モードや動画記録モードでは、撮影するシーンや使用者の操作環境を異ならせた複数の撮影モードが用意されている。また、再生モードにおいても、使用者が扱うことの出来る操作の種類が異なるなど、操作環境を異ならせた複数の再生モードが用意されている。１１１は接続ケーブルであり、デジタルカメラ１００と外部機器を接続する。１１２はコネクタであり、接続ケーブル１１１とデジタルカメラ１００とを接続する。
【００１１】
７０は操作部であり、ユーザからの各種操作を受け付ける。操作部７０は図示の各種ボタンや、画像表示部２８の画面上に設けられたタッチパネル等の操作部材を有する。操作部７０の各種ボタンとは、具体的に例示すると、消去ボタン、メニューボタン、ＳＥＴボタン、十字に配置された４方向ボタン（上ボタン、下ボタン、右ボタン、左ボタン）、ホイール７３等である。２００はメモリカードやハードディスク等の記録媒体である。２０１は記録媒体スロットであり、記録媒体２００を格納する。記録媒体スロット２０１に格納された記録媒体２００は、デジタルカメラ１００との通信が可能となる。２０２は記録媒体スロット２０１の蓋である。
【００１２】
図２は、本実施形態によるデジタルカメラ１００の構成例を示すブロック図である。図２において、１０３は撮影レンズ、１０１は絞り機能を備えるシャッター、２２は光学像を電気信号に変換するＣＣＤやＣＭＯＳ素子等で構成される撮像部である。２３はＡ／Ｄ変換器であり、アナログ信号をデジタル信号に変換する。Ａ／Ｄ変換器２３は、撮像部２２から出力されるアナログ信号をデジタル信号に変換する場合や、音声制御部１１から出力されるアナログ信号をデジタル信号に変換する場合に用いられる。１０２はバリアであり、デジタルカメラ１００の、レンズ１０３を含む撮像部を覆うことにより、撮影レンズ１０３、シャッター１０１、撮像部２２を含む撮像系の汚れや破損を防止する。
【００１３】
１２はタイミング発生部であり、撮像部２２、音声制御部１１、Ａ／Ｄ変換器２３、Ｄ／Ａ変換器１３にクロック信号や制御信号を供給する。タイミング発生部１２は、メモリ制御部１５及びシステム制御部５０により制御される。２４は画像処理部であり、Ａ／Ｄ変換器２３からのデータ、又は、メモリ制御部１５からのデータに対し所定の画素補間、縮小といったリサイズ処理や色変換処理を行う。また、画像処理部２４では、撮影した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮影した画像データを用いて所定の演算処理を行い、得られた演算結果に基づいてＴＴＬ方式のＡＷＢ（オートホワイトバランス）処理も行っている。
【００１４】
Ａ／Ｄ変換器２３からの出力データは、画像処理部２４及びメモリ制御部１５を介して、或いは、直接メモリ制御部１５を介して、メモリ３２に書き込まれる。メモリ３２は、撮像部２２によって得られＡ／Ｄ変換器２３によりデジタルデータに変換された画像データや、画像表示部２８に表示するための画像データを格納する。尚、メモリ３２は、マイク１０において録音された音声データ、静止画像、動画像および画像ファイルを構成する場合のファイルヘッダを格納するのにも用いられる。従って、メモリ３２は、所定枚数の静止画像や所定時間の動画像および音声を格納するのに十分な記憶容量を備えている。
【００１５】
圧縮／伸張部１６は、適応離散コサイン変換（ＡＤＣＴ）等により画像データを圧縮、伸張する。圧縮／伸張部１６は、シャッター１０１をトリガにしてメモリ３２に格納された撮影画像を読み込んで圧縮処理を行い、処理を終えたデータをメモリ３２に書き込む。また、記録媒体２００の記録部１９などからメモリ３２に読み込まれた圧縮画像に対して伸張処理を行い、処理を終えたデータをメモリ３２に書き込む。圧縮／伸張部１６によりメモリ３２に書き込まれた画像データは、システム制御部５０のファイル部においてファイル化され、インターフェース１８を介して記録媒体２００に記録される。また、メモリ３２は画像表示用のメモリ（ビデオメモリ）を兼ねている。１３はＤ／Ａ変換器であり、メモリ３２に格納されている画像表示用のデータをアナログ信号に変換して画像表示部２８に供給する。２８は画像表示部であり、ＬＣＤ等の表示器上に、Ａ／Ｄ変換器２３からのアナログ信号に応じた表示を行う。こうして、メモリ３２に書き込まれた表示用の画像データはＤ／Ａ変換器１３を介して画像表示部２８により表示される。
【００１６】
１０はマイクである。マイク１０から出力された音声信号は、アンプ等で構成される音声制御部１１を介してＡ／Ｄ変換器２３に供給され、Ａ／Ｄ変換器２３においてデジタル信号に変換された後、メモリ制御部１５によってメモリ３２に格納される。一方、記録媒体２００に記録されている音声データは、メモリ３２に読み込まれた後、Ｄ／Ａ変換器１３によりアナログ信号に変換される。音声制御部１１は、このアナログ信号によりスピーカ３９を駆動し、音声出力する。
【００１７】
不揮発性メモリ５６は電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１８】
５０はシステム制御部であり、デジタルカメラ１００全体を制御する。システム制御部５０は、上述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。
【００１９】
モード切替スイッチ６０、第１シャッタースイッチ６２、第２シャッタースイッチ６４、操作部７０はシステム制御部５０に各種の動作指示を入力するための操作手段である。
【００２０】
モード切替スイッチ６０は、システム制御部５０の動作モードを静止画記録モード、動画記録モード、再生モード等のいずれかに切り替えることができる。第１シャッタースイッチ６２は、デジタルカメラ１００に設けられたシャッターボタン６１の操作途中（半押し）でＯＮとなり第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２１】
第２シャッタースイッチ６４は、シャッターボタン６１の操作完了（全押し）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２２】
操作部７０の各操作部材は、画像表示部２８に表示される種々の機能アイコンを選択操作することなどにより、場面ごとに適宜機能が割り当てられ、各種機能ボタンとして作用する。機能ボタンとしては例えば終了ボタン、戻るボタン、画像送りボタン、検索ボタン、絞り込みボタン、属性変更ボタン等がある。例えば、メニューボタンが押されると各種設定が可能なメニュー画面が画像表示部２８に表示される。利用者は、画像表示部２８に表示されたメニュー画面と、４方向ボタンやＳＥＴボタンとを用いて直感的に各種設定を行うことができる。電源スイッチ７２は、電源オン、電源オフを切り替える。
【００２３】
８０は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２４】
３０は電源部であり、アルカリ電池やリチウム電池等の一次電池やＮｉＣｄ電池やＮｉＭＨ電池、Ｌｉ電池等の二次電池、ＡＣアダプター等からなる。３３及び３４はコネクタであり、電源部３０と電源制御部８０とを接続する。
【００２５】
４０はＲＴＣ（Ｒｅａｌ  Ｔｉｍｅ  Ｃｌｏｃｋ）であり、日付及び時刻を計時する。ＲＴＣ４０は、電源制御部８０とは別に内部に電源部を保持しており、電源部３０が落ちた状態であっても、計時状態を続ける。システム制御部５０は起動時にＲＴＣ４０より取得した日時を用いてシステムタイマを設定し、タイマ制御を実行する。
【００２６】
１８はメモリカードやハードディスク等の記録媒体２００とのインターフェースである。３５は該記録媒体２００とインターフェース１８との接続のためのコネクタである。９８は記録媒体着脱検知部であり、コネクタ３５に記録媒体２００が装着されているか否かを検知する。
【００２７】
２００はメモリカードやハードディスク等の記録媒体である。記録媒体２００は、半導体メモリや磁気ディスク等から構成される記録部１９、デジタルカメラ１００とのインターフェース３７、及び、記録媒体２００とデジタルカメラ１００とを接続するためのコネクタ３６を備えている。
【００２８】
通信部１１０は、ＲＳ２３２ＣやＵＳＢ、ＩＥＥＥ１３９４、Ｐ１２８４、ＳＣＳＩ、モデム、ＬＡＮ、無線通信、等の各種通信処理を行う。コネクタ（無線通信の場合はアンテナ）１１２は、通信部１１０を介してデジタルカメラ１００を他の機器と接続する。
【００２９】
［デジタルカメラの全体動作について］
図３は、本実施形態のデジタルカメラ１００の全体的な動作を説明するフローチャートである。
【００３０】
電源スイッチ７２が操作され電源がオンに切り替わると、ステップＳ３０１においてシステム制御部５０はフラグや制御変数等を初期化する。続いて、ステップＳ３０２において、記録媒体２００に記録されているファイルに関するファイル管理処理を開始する。ファイル管理においては記録媒体２００にＤＣＦ等の所定規則に則り記録されている画像の検索を行い再生可能画像の列挙、総数計算等を行う。
【００３１】
次に、ステップＳ３０３、Ｓ３０５、Ｓ３０７において、システム制御部５０は、モード切替スイッチ６０の設定位置を判断する。静止画記録モードに設定されていたならば処理はステップＳ３０３からステップＳ３０４へ進み、静止画記録モード処理を実行する。モード切替スイッチ６０が動画記録モードに設定されていたならば、処理はステップＳ３０３、Ｓ３０５を経てステップＳ３０６へ進み、動画記録モード処理を実行する。また、モード切替スイッチ６０が再生モードに設定されていた場合、処理はステップＳ３０３、Ｓ３０５、Ｓ３０７を経てステップＳ３０８へ進み、再生モード処理を実行する。
【００３２】
また、その他のモードに設定されていた場合、処理はステップＳ３０９へ進み、システム制御部５０は選択されたモードに応じた処理を実行する。その他のモードとしては例えば記録媒体２００に格納されたファイルの送信を行う送信モード処理、外部機器からファイルを受信して記録媒体２００に格納する受信モード処理が含まれる。
【００３３】
ステップＳ３０４、Ｓ３０６、Ｓ３０８、Ｓ３０９のうちのモード切替スイッチ６０によって設定されたモードに対応した処理を実行した後、処理はステップＳ３１０へ進む。ステップＳ３１０において、システム制御部５０は電源スイッチ７２の設定位置を判断する。電源スイッチ７２が電源オンに設定されていれば、ステップＳ３０３に処理を戻す。一方、電源スイッチ７２が電源オフに設定されていたならば、処理はステップＳ３１０からステップＳ３１１へ進み、制御部５０は終了処理を行う。終了処理には、例えば以下の処理が含まれる。すなわち、画像表示部２８の表示を終了状態に変更し、レンズバリア１０２を閉じて撮像部を保護し、フラグや制御変数等を含むパラメータや設定値、設定モードを不揮発性メモリ５６に記録し、電源供給が不要な部分への電源を遮断する。ステップＳ３１１の終了処理が完了すると、本処理を終了し、電源をＯＦＦ状態へ移行する。
【００３４】
［静止画記録モード処理（Ｓ３０４）について］
図４は図３のステップＳ３０４における静止画記録モード処理を示すフローチャートである。尚、図４に示される静止画記録モード処理は、モード切替スイッチ６０により他のモードへの切替が行われた場合や電源スイッチ７２がＯＦＦにセットされた場合に、割り込み処理等により終了するものとする。
【００３５】
システム制御部５０は、静止画記録モードを開始すると、ステップＳ４０１において撮影モードを確定する。撮影モードの確定は以下のように行なわれる。
【００３６】
（１）不揮発性メモリ５６より前回の静止画記録モード終了時における撮影モードを取得してシステムメモリ５２に格納する
（２）ユーザにより操作部７０が操作されて撮影モードの設定入力があった場合に、その設定入力された撮影モードをシステムメモリ５２に格納する
ここで、撮影モードとは撮影シーンおよび使用者の熟練度に応じて適したシャッター速度や絞り値、ストロボ発光状態、感度設定、ユーザインターフェース等を組み合わせて実現されるモードのことである。本実施の形態のデジタルカメラ１００は以下のような撮影モードを有する。
【００３７】
・簡単撮影モード：初心者ユーザを想定し、詳細な設定ＵＩを省くとともに、ストロボ設定等の基本操作ガイダンスをＧＵＩ上に表示し、計測された露出値に基づいてカメラの各種パラメータを自動的に決定するモード
・オートモード：計測された露出値に基づいてカメラの各種パラメータを自動的に決定するモード
・マニュアルモード：カメラの各種パラメータをユーザが自由に変更可能なモード
・シーンモード：撮影シーンに適したシャッター速度や絞り値、ストロボ発光状態、感度設定等の組み合わせを自動で設定するモード
尚、シーンモードには以下のようなモードが含まれる。
【００３８】
・ポートレートモード：背景をぼかして人物を浮き立たせるように記録する、人物撮影に特化したモード
・夜景モード：人物にストロボ光をあて背景を遅いシャッター速度で記録する、夜景シーンに特化したモード
・風景モード：広がりのある風景シーンに特化したモード
・ナイト＆スナップモード：三脚なしで夜景と人物をきれいに撮るのに適したモード
・キッズ＆ペットモード：よく動き回る子供やペットをシャッターチャンスを逃さず撮影可能にしたモード
・新緑＆紅葉モード：新緑等の木々や葉を色鮮やかに撮影するのに適したモード
・パーティーモード：蛍光灯や電球のもとで、手振れを抑えて被写体に忠実な色味で撮影するモード
・スノーモード：雪景色をバックにしても人物が暗くならず、青みも残さず撮影するモード
・ビーチモード：太陽光の反射の強い海面や砂浜でも、人物などが暗くならずに撮影可能なモード
・花火モード：打ち上げ花火を最適な露出で鮮やかに撮影するためのモード
・水族館モード：屋内の水槽内の魚などを撮影するのに適した感度、ホワイトバランス、色味を設定するモード
・水中モード：水中に最適なホワイトバランスに設定し、青みを押さえた色合いで撮影するモード
ステップＳ４０２において、システム制御部５０は、ステップＳ４０１において撮影モードが確定すると、続いて撮像部２２からの画像データを表示するスルー表示を行う。続いて、ステップＳ４０３において、システム制御部５０は、電源制御部８０を用いて電池等により構成される電源部３０の残容量や、記録媒体２００の有無や残容量がデジタルカメラ１００の動作に問題があるか否かを判定する。問題があるならば、ステップＳ４０４において、画像表示部２８を用いて画像や音声により所定の警告表示を行い、処理をステップＳ４０１に戻す。
【００３９】
電源部３０や記録媒体２００の状態に問題が無いならば、ステップＳ４０９、Ｓ４１０において、第１シャッタースイッチ信号ＳＷ１と第２シャッタースイッチ信号ＳＷ２のＯＮ／ＯＦＦ状態を判定する。第１シャッタースイッチ信号ＳＷ１がＯＮした状態で第２シャッタースイッチ信号ＳＷ２がＯＮになると、処理はステップＳ４０９からステップＳ４１１へ進む。第１シャッタースイッチ信号ＳＷ１がＯＦＦになると（第２シャッタースイッチ信号ＳＷ２がＯＮせずに、更に第１シャッタースイッチ信号ＳＷ１も解除された場合）、処理はステップＳ４１０からステップＳ４０７へ戻る。また、第１シャッタースイッチ信号ＳＷ１がＯＮ、第２シャッタースイッチ信号ＳＷ２がＯＦＦの間は、ステップＳ４０９、Ｓ４１０の処理が繰り返される。
【００４０】
第２シャッタースイッチＳＷ２が押されると、ステップＳ４１１において、システム制御部５０は、画像表示部２８の表示状態をスルー表示から固定色表示状態に設定する。そして、ステップＳ４１２において、システム制御部５０は、露光処理や現像処理を含む撮影処理を実行する。尚、露光処理では、撮像部２２、Ａ／Ｄ変換器２３を経て得られた画像データが、画像処理部２４及びメモリ制御部１５を介して、或いはＡ／Ｄ変換器２３から直接メモリ制御部１５を介して、メモリ３２に書き込まれる。また、現像処理では、システム制御部５０が、メモリ制御部１５そして必要に応じて画像処理部２４を用いて、メモリ３２に書き込まれた画像データを読み出して各種処理を行う。
【００４１】
次に、システム制御部５０は、ステップＳ４１３において、画像表示部２８に対し撮影処理で得られた画像データのレックレビュー表示を行う。レックレビューとは、撮影画像の確認のために、被写体の撮影後記録媒体への記録前に、予め決められた時間（レビュー時間）だけ画像データを画像表示部２８に表示する処理である。レックレビュー表示後、ステップＳ４１４において、システム制御部５０は撮影処理で得られた画像データを画像ファイルとして記録媒体２００に対して書き込む記録処理を実行する。
【００４２】
ステップＳ４１４の記録処理が終了すると、ステップＳ４１５において、システム制御部５は、第２シャッタースイッチ信号ＳＷ２のＯＮ／ＯＦＦ状態を判定する。第２シャッタースイッチ信号ＳＷ２がＯＮの場合は、ステップＳ４１５の判定を繰り返し、第２シャッタースイッチ信号ＳＷ２がＯＦＦになるのを待つ。この間、上記レックレビューの表示を継続させる。即ち、ステップＳ４１４の記録処理が終了した際に、第２シャッタースイッチ信号ＳＷ２が放されるまで画像表示部２８におけるレックレビュー表示を継続させる。このように構成することにより、ユーザは、シャッターボタン６１の全押し状態を継続することで、レックレビューを用いた撮影画像データの確認を入念に行うことが可能となる。
【００４３】
ユーザがシャッターボタン６１を全押し状態にして撮影を行った後、シャッターボタン６１から手を放すなどして全押し状態が解除されると、処理はステップＳ４１５からステップＳ４１６へ進む。ステップＳ４１６において、システム制御部５０は、予め定められたレビュー時間が経過したか否かを判断し、レビュー時間が経過していればステップＳ４１７に進む。ステップＳ４１７において、システム制御部５０は、画像表示部２８の表示状態をレックレビュー表示からスルー表示状態に戻す。この処理により、レックレビュー表示によって撮影画像データを確認した後、画像表示部２８の表示状態は次の撮影のために撮像部２２からの画像データを逐次表示するスルー表示状態に自動的に切り替わることになる。
【００４４】
そして、ステップＳ４１８において、システム制御部５０は、第１シャッタースイッチ信号ＳＷ１のＯＮ／ＯＦＦを判定し、第１シャッタースイッチ信号ＳＷ１がＯＮの場合はステップＳ４０９へ、ＯＦＦの場合はステップＳ４０７へ処理を戻す。即ち、シャッターボタン６１の半押し状態が継続している（第１シャッタースイッチ信号ＳＷ１がＯＮ）場合は、システム制御部５０は次の撮影に備える（ステップＳ４０９）。一方、シャッターボタン６１が放された状態（第１シャッタースイッチ信号ＳＷ１がＯＦＦ）であったならば、システム制御部５０は、一連の撮影動作を終えて撮影待機状態に戻る（ステップＳ４０７）。
【００４５】
［記録処理について（Ｓ４１４）］
図５は、図４のステップＳ４１４における撮影シーケンスにおいて生成された画像データの記録処理を示すフローチャートである。
【００４６】
記録処理を開始すると、ステップＳ５０１において、システム制御部５０は、ＤＣＦ等の所定のファイル名生成ルールに則り記録対象の画像データに対するファイル名を生成する。次に、ステップＳ５０２において、システムメモリ５２に記憶した日時情報を取得する。次に、ステップＳ５０３において、当該記録対象の画像データのデータサイズを取得する。
【００４７】
ステップＳ５０４において、システム制御部５０は、当該画像データから生成した画像ファイルを格納するべきディレクトリが記録媒体２００に存在するか否かを判定する。ディレクトリが存在しない場合は、ステップＳ５０５に処理が進む。ステップＳ５０５において、システム制御部５０は、画像ファイルを格納するためのディレクトリを生成する。続いて、ステップＳ５０６において、システム制御部５０は、上記撮影処理のにおいてメモリ３２に格納された画像データに対し、撮影日時や撮影時条件等から構成されるファイルヘッダを生成する。撮影条件には撮影モードの種別も含まれる。つまり、撮影され取得した画像データを、撮影時に設定されていた撮影モードに関連づけて記録する。
【００４８】
ヘッダ生成の完了後、ステップＳ５０７において、システム制御部５０は、ステップＳ５０１で取得したファイル名及びステップＳ５０３で取得した日時情報からディレクトリエントリを生成し、画像ファイルを記録媒体２００に記録し、記録処理を終了する。
【００４９】
［ファイル構造について］
ステップＳ５０７において記録媒体２００に記録する静止画像ファイルのデータの構造例を図６に示す。
【００５０】
画像ファイル６０１は先頭に画像ファイルの開始を示すマーカ（ＳＯＩ）６０２を有し、その後にヘッダ部に相当するアプリケーションマーカ（ＡＰＰ１）６０３を有する。アプリケーションマーカ（ＡＰＰ１）６０３内には、
・サイズ（ＡＰＰ１  Ｌｅｎｇｔｈ）６０３、
・アプリケーションマーカの識別コード（ＡＰＰ１  Ｉｄｅｎｔｉｆｉｅｒ  Ｃｏｄｅ）６０５、
・画像データの作成日時（Ｄａｔｅ  Ｔｉｍｅ）６０６、
・画像データが生成された日時（Ｄａｔｅ  Ｔｉｍｅ  Ｏｒｉｇｉｎａｌ）６０７、
・画像が撮影された撮影モード６０８、
・その他の撮影情報６０９、及び前述したサムネイル画像（Ｔｈｕｍｂｎａｉｌ  Ｄａｔａ）６１０から構成される。
【００５１】
ここで、撮影モード６０８は前述した撮影モードであり、簡単撮影モード、オートモード、マニュアルモード、シーンモード等、撮影時に設定されていたモードを識別するための値が設定されている。
【００５２】
また画像ファイル６０１に記録される画像データは、量子化テーブル（ＤＱＴ）６１２、ハフマンテーブル（ＤＨＴ）６１３、フレーム開始マーカ（ＳＯＦ）６１４、スキャン開始マーカ（ＳＯＳ）６１５及び圧縮データ６１６から構成される。そして、画像ファイルデータの最後を示すマーカ（ＥＯＩ）６１７で終端される。
【００５３】
［再生モード処理について（Ｓ３０８）］
図７は、本実施形態のデジタルカメラ１００の再生モードの動作を説明するフローチャートである。図７のフローチャートは、図３のステップＳ３０８の詳細を示している。
【００５４】
ステップＳ７０１において、システム制御部５０は、記録媒体２００から最新画像情報を取得する。最新画像情報の取得を総枚数計算よりも先に行うことで、再生モードに入るとすばやくそれらの処理の画像表示ができるというメリットがある。ステップＳ７０２において、システム制御部５０は、ステップＳ７０１における最新画像情報の取得が正しく行われたかどうかをチェックする。最新画像情報を取得できなかった場合、処理はステップＳ７０９に進む。ステップＳ７０９において、システム制御部５０は、画像なし時の入力待ち状態となる。尚、最新画像情報を取得できない場合とは、画像が一枚もないような状態や、メディア不良によって画像情報が取得できなかったような状態等が考えられる。最新画像情報が取得できれば、少なくとも画像が１枚は存在すると判断され、処理はステップＳ７０３へ進む。
【００５５】
ステップＳ７０３において、システム制御部５０は、ステップＳ７０１で取得した最新画像情報を元に記録媒体２００から最新画像データを読み込む。そして、ステップＳ７０４において、システム制御部５０は、ファイル解析処理を行い、読み込んだ最新画像データにおける画像の撮影情報や属性情報等を取得する。ステップＳ７０５において、システム制御部５０は、読み込んだ最新画像データを表示する。さらに、このとき、ステップＳ７０４で取得された撮影情報や属性情報等も表示する。また、ステップＳ７０４のファイル解析結果に応じて、ファイルの一部が壊れているなど不正なデータということがわかればエラー表示も合わせて行われる。ステップＳ７０８において、システム制御部５０は、入力待ち状態に入る。
【００５６】
［再生モード処理における画像なし時の入力待ち処理（Ｓ７０９）］
図８は、再生モードにおける画像なし時入力待ち状態における処理を示すフローチャートである。
【００５７】
まず、ステップＳ８０１において、システム制御部５０は、画像データがないことをユーザに通知するべく、「画像がありません」というメッセージ表示を画像表示部２８において行う。次に、ステップＳ８０２において、システム制御部５０は、操作入力を待つ。ここでいう操作入力とはユーザによるボタン、電池蓋に対する操作や、電源の低下などを知らせるイベント等が含まれる。何らかの入力があった場合、処理はステップＳ８０３へ進み、システム制御部５０は、当該入力が終了ボタンだったかどうかチェックする。終了ボタンと判定された場合は、再生モード処理を終了し、図３のステップＳ３１０へ進む。一方、操作入力が終了ボタン以外だった場合は、ステップＳ８０４へ進み、当該操作入力に対応する処理が行われる。例えば、画像データがなくてもメニューボタンの操作が入力された場合は、画像表示部２８にメニュー表示を行い、ユーザが設定変更等を行えるようにする。
【００５８】
［再生モード処理における再生入力待ち処理（Ｓ７０８）］
図９は、再生モード処理における入力待ち状態の処理を説明するフローチャートである。
【００５９】
ステップＳ９０１において、システム制御部５０は、ユーザによる操作入力があるかどうかをチェックする。ここでいう操作入力とは、ユーザによるボタン、電池蓋に対する操作や、電源の低下などを知らせるイベントなどが含まれる。何も入力がなければ入力があるまで待つ。何らかの操作入力があった場合、処理はステップＳ９０２へ進む。
【００６０】
ステップＳ９０２において、システム制御部５０は、当該操作入力が操作部７０に含まれる検索キー設定ボタンの入力かどうかを判定する。操作入力が検索キー設定ボタンであった場合、処理はステップＳ９０３に進み、システム制御部５０は次の検索キーを設定しシステムメモリ５２に記憶する。ここで検索キーとは検索の単位となる属性情報であり、具体例としては、撮影日、分類情報、フォルダ、動画等がある。すなわち、本画像処理装置において撮影日、分類情報、フォルダ、動画の検索が可能な場合、記録媒体２００に記録されている画像の分類される撮影日時、分類情報、フォルダよび動画を検索キーとして順次選択する。また、ここでの順次選択には検索キーの解除、すなわち全ての画像の再生モードへの移行も含まれていても良い。
【００６１】
次にステップＳ９０４において、システム制御部５０は、当該操作入力が操作部７０に含まれる画像送りボタンの入力かどうかを判定する。操作入力が画像送りボタンであった場合、処理はステップＳ９０５へ進み、システム制御部５０はＳ９０３で設定された検索キーにおける次の表示画像を読み込む。画像送りのボタンは送り方向に応じた一対のボタンで構成されており、操作されたボタンに対応する送り方向に応じて次の表示画像が読み込まれることになる。次に、ステップＳ９０６において、システム制御部５０は、ステップＳ９０３で読み込まれた画像データに対して撮影情報や属性情報などのファイル解析処理を行う。そして、ステップＳ９０７において、システム制御部５０は、ステップＳ９０５で読み込んだ画像データの表示を行う。このとき、ステップＳ９０６におけるファイル解析処理の結果を用いて、撮影情報や属性情報等を表示する。また、ステップＳ９０６のファイル解析結果に応じて、ファイルの一部が壊れているなど不正なデータと判別された場合は、エラー表示も合わせて行う。表示が完了するとステップＳ９０１の入力待ち状態へ戻る。ステップＳ９０４において入力が画像送りボタンではないと判定された場合、処理はステップＳ９０９へ進む。
【００６２】
ステップＳ９０９において、システム制御部５０は、総画像枚数計算の処理が完了しているかチェックする。そして、まだ完了していない場合はステップＳ９０１の操作入力待ち状態へ戻る。このとき、まだ完了していない旨を伝えるメッセージやアイコン表示を行うことも考えられる。以上の処理により、画像送りボタンによる画像送り操作と終了ボタンによる終了操作は画像枚数計算の完了を待たずに実行されるが、他の操作入力理は総画像枚数計算処理が完了するまでは無視されることになる。ステップＳ９０９で総画像枚数が終了していると判定された場合、処理はステップＳ９１２へ進む。
【００６３】
ステップＳ９１２において、システム制御部５０は、当該操作入力が操作部７０に含まれる消去ボタンの操作であるかどうかを調べる。消去ボタンの操作入力であると判定された場合、処理はステップＳ９１３へ進む。ステップＳ９１３において、システム制御部５０は、現在画像表示部２８に表示されている画像データの消去を実行する。画像データの消去が完了するとステップＳ９１４において消去後の総枚数をチェックする。総枚数が０になっていた場合はステップＳ９１５へ進み、画像なし時入力待ち状態へ移る。
【００６４】
一方、消去後に画像データが残っている場合はステップＳ９１６へ進み、システム制御部５０は、次の画像データを表示するべく、次の表示対象の画像データを読み込む。ここで表示対象となる画像データは、消去された画像データのファイル番号の次のファイル番号の画像データとする。尚、最新の画像データが消去された場合は、消去された画像データのファイル番号よりも１つ前のファイル番号の画像データを表示対象とする。ステップＳ９１７において、システム制御部５０は、ステップＳ９１６で表示対象として読み込んだ画像データに対してファイル解析処理を行い、撮影情報や属性情報などを得る。そして、ステップＳ９１８において、システム制御部５０は、ステップＳ９１６で読み込んだ画像データを画像表示部２８に表示する。このとき、ステップＳ９１７で取得された撮影情報や属性情報なども表示する。また、ステップＳ９１７のファイル解析結果に応じて、ファイルの一部が壊れているなど不正なデータであると判定されたならば、その旨のエラー表示も行う。表示が完了するとステップＳ９０１の操作入力待ち状態へ戻る。上記の撮影情報には、撮影時の撮影モードを示す情報が含まれている。
【００６５】
ステップＳ９１２において当該操作入力が消去ボタンでない場合、処理はステップＳ９１９へ進む。ステップＳ９１９において、システム制御部５０は、当該操作入力が編集ボタンかどうかを判定する。編集ボタンであると判定された場合、処理はステップＳ９２０へ進む。ステップＳ９２０では画像に対する編集処理を行う。編集処理とはリサイズ、トリミング、画像補正等がある。
【００６６】
ステップＳ９１９において当該操作入力が編集ボタンでない場合、処理はステップＳ９２１へ進む。ステップＳ９２１において、システム制御部５０は、当該操作入力が終了ボタンかどうかを判定する。終了ボタンであると判定された場合、再生モード処理を終了し、図３のステップＳ３１０へ進む。ステップＳ９２１において当該操作入力が終了ボタンでない場合、処理はステップＳ９２４へ進む。
【００６７】
ステップＳ９２４ではそれ上記以外の操作入力に応じた処理を行う。たとえば、画像の編集処理や、マルチ再生への切り替えや、メニューボタンによるメニュー表示などである。尚、マルチ再生とは、画像データの縮小画像を画像表示部２８の一画面に複数枚並べて表示する再生モードである。
【００６８】
［画像消去（Ｓ９１３）］
図１０は図９ステップ９１３おける画像消去処理を示すフローチャートである。図１０（ａ）は画像消去フローチャートの一例である。ステップＳ１００１においてシステム制御部５０は、画像削除要求があるかどうかを判定する。削除要求でないと判断したならば処理を抜ける。一方削除要求と判断したならばステップＳ１００２へ進み現在カメラに設定されているモードが簡単再生モードであるかどうかを判定する。ここで、再生モードには、画像に施すことができる編集の種類を限定した、初心者向けの簡単再生モードと、その装置が再生モードで実行できるすべてまたはほとんどの編集を実行できる通常再生モードとを有している。なお本実施形態では通常再生モードでも、簡単再生モードで撮影された画像については、消去を出来ないようにしている。そして、簡単撮影モードで撮影された画像については簡単再生モードで消去が出来るようにしている。
再生モードの切り替えは、モード切替スイッチ６０で行えるようにしている。もちろん他の操作部材などを用意しても良い。
【００６９】
なお、画像の撮影モードと、そのときの再生モードとの対応関係に応じて、実行可否を判定するための情報は、不揮発性メモリ５６に格納されている。このデータの一例としては、編集処理の種類ごとにその編集処理を実行可とする場合についての撮影モードと再生モードとの関係をテーブル形式で格納している。
この情報に基づき、編集操作しようとしている画像データに関連付けられている撮影モードが、現在の再生モードでその編集操作を実行してよい撮影モードであるかを判定できる。
【００７０】
ステップＳ１００２にて簡単再生モードであると判断された場合ステップＳ１００３へ進み処理対象（削除対象）の画像データが簡単撮影モードで撮影した画像データであるか判定する。この判定はファイル解析処理により取得された対象画像の撮影モードにより行う。ステップＳ１００２で現在のモードが簡単再生モードでない（通常再生モードである）と判断された場合、ステップＳ１００３において簡単撮影モードで撮影された画像でないと判断された場合ステップＳ１００４へ進み画像削除を実行し処理を抜ける。ステップＳ１００３において簡単撮影モードで撮影した画像でないと判断された場合、削除処理は行わず処理を抜ける。
【００７１】
図１０（ｂ）は画像消去フローチャートの他の例である。ステップＳ１０１１においてシステム制御部５０は、画像削除要求があるかどうかを判定する。削除要求でないと判断したならば処理を抜ける。一方削除要求と判断したならばステップＳ１０１２へ進み現在カメラに設定されているモードが簡単再生モードであるかどうかを判定する。ステップＳ１０１２にて簡単再生モードであると判断された場合ステップＳ１０１３へ進み現在の削除対象画像が簡単撮影モードで撮影した画像であるか判定する。この判定はファイル解析処理により取得された撮影情報の中の撮影モードにより行う。ステップＳ１０１２で現在のモードが簡単再生モードでないと判断された場合、ステップＳ１０１３において簡単撮影モードで撮影された画像と判断された場合ステップＳ１０１４へ進み画像削除処理を実行し処理を抜ける。ステップＳ１０１３において簡単撮影モードで撮影した画像でないと判断された場合、ステップＳ１０１５へ進み簡単再生モードでは表示しないための属性を付与する。これは例えばファイルシステム上の隠し属性等を付与することにより実現できる。次にステップＳ１０１６へ進み現在の画像を非表示にし、処理を抜ける。
【００７２】
以上のように、簡単再生モードにおいては簡単撮影モードで撮影した画像のみ削除可能であり、簡単撮影モード以外で撮影した画像については対象画像を削除せずに保持する。よって例えば操作に不慣れな使用者がカメラを使用する場合に簡単撮影モードに設定して撮影し、簡単再生モードで再生を行なうことにより、別の使用者によって簡単撮影モード以外で撮影された画像が誤って削除されることを防止できる。
【００７３】
［画像編集（Ｓ９２０）］
図１１は図９のステップ９２０における画像編集処理を示すフローチャートである。
図１１（ａ）は編集処理の一例として画像補正処理のひとつである赤目補正処理のフローチャートである。ステップＳ１１０１においてシステム制御部５０は、編集要求（ここでは赤目補正要求）があるかどうかを判定する。赤目要求でないと判断したならば処理を抜ける。一方赤目補正要求と判断したならばステップＳ１１０２へ進み現在カメラに設定されているモードが簡単再生モードであるかどうかを判定する。ステップＳ１１０２にて簡単再生モードであると判断された場合ステップＳ１１０３へ進み現在の編集対象画像が簡単撮影モードで撮影した画像であるか判定する。この判定はファイル解析処理により取得された撮影情報の中の撮影モード情報により行う。ステップＳ１１０２で現在のモードが簡単再生モードでないと判断された場合、ステップＳ１１０３において簡単撮影モードで撮影された画像と判断された場合ステップＳ１１０４へ進み赤目補正を実行するとともに実行画像を上書き保存し処理を抜ける。ステップＳ１１０３において簡単撮影モードで撮影した画像でないと判断された場合、ステップＳ１１０５へ進み赤目補正を実行するとともに実行画像を新規保存し処理を抜ける。
なお、本実施形態では赤目補正処理のように画像の一部の色味を補正するものを例示したが、画像全体の色味の補正を行う処理についても、適用可能である。
【００７４】
図１１（ｂ）は編集処理の一例として画像補正処理のひとつであるトリミング処理のフローチャートである。ステップＳ１１１１においてシステム制御部５０は、トリミング正要求があるかどうかを判定する。トリミング要求でないと判断したならば処理を抜ける。一方トリミング要求と判断したならばステップＳ１１１２へ進み現在カメラに設定されているモードが簡単再生モードであるかどうかを判定する。ステップＳ１１１２にて簡単再生モードであると判断された場合ステップＳ１１１３へ進み現在の編集対象画像が簡単撮影モードで撮影した画像であるか判定する。この判定はファイル解析処理により取得された撮影情報の中の撮影モード情報により行う。ステップＳ１１１２で現在のモードが簡単再生モードでないと判断された場合、ステップＳ１１１３において簡単撮影モードで撮影された画像と判断された場合ステップＳ１１１４へ進みトリミング処理を実行するとともに実行画像を上書き保存し処理を抜ける。ステップＳ１１１３において簡単撮影モードで撮影した画像でないと判断された場合、ステップＳ１１１５へ進みトリミング情報をＤＰＯＦファイル等の管理ファイルに別途保存するとともに処理を抜ける。
【００７５】
以上のように、簡単再生モードにおいて編集を行なう場合には簡単撮影モードで撮影した画像のみ上書き編集可能とする。そして簡単撮影モード以外で撮影した画像については対象画像を保持するとともに編集画像の新規保存あるいはＤＰＯＦ等の管理ファイルによる代替処理にて編集を行う。これにより。操作の不慣れな使用者がカメラを使用する場合に簡単再生モードに設定しておくことにより、簡単撮影モード以外で撮影した画像を誤って上書き編集されることを防止する。また、簡単再生モードで使用する使用者もカメラの編集機能を十分に利用することが可能となる。
【００７６】
なお、上記の編集処理の可否判断は、画像の撮影モードと再生モードとの対応関係に関する情報を不揮発性メモリ５６に予め格納しておき、この情報を参照することにより行うことができる。また、画像の撮影モードと再生モードとの対応関係は、編集処理の種類に応じて適宜変更可能である。つまり、簡単再生モードでトリミング処理を行う場合には、簡単撮影モードで撮影された画像についてのみ上書き編集可能とするが、他の編集処理については、必ずしも簡単撮影モードで撮影された画像で無くても上書き編集可能としてもよい。
【００７７】
［ファイル解析処理について］
次に、図７のステップＳ７０４、図９のステップＳ９０６、Ｓ９１７におけるファイル解析処理について説明する。図１２は、ファイル解析処理を示すフローチャートである。
【００７８】
ステップＳ１２０１において、システム制御部５０は、解析対象のファイルに、撮影情報、撮影モード情報の記載されたファイルヘッダがあるか否か判定する。そのようなファイルヘッダがあると判定された場合、システム制御部５０は、ステップＳ１２０２にて当該ファイルヘッダから撮影情報を取得し、ステップＳ１２０３にて当該ファイルヘッダから撮影モードを取得する。そして、ステップＳ１２０４において、システム制御部５０は、画像本体開始位置、画像圧縮方法等の画像データ本体の情報を取得する。
【００７９】
（他の実施形態）
以上、デジタルカメラにより本実施形態を説明したが、本発明の適用はこれに限られるものではなく、画像の撮影モードと装置の再生モードとの対応関係に応じて、編集処理の可否を制御するものであれば、携帯電話、携帯端末等の、画像再生が可能な装置に適用が可能である。
上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００８０】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００８１】
その場合、プログラムの機能を有していれば、オブジェクトコード、インタプリタにより実行されるプログラム、ＯＳに供給するスクリプトデータ等、プログラムの形態を問わない。
【００８２】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等が考えられる。また、光／光磁気記録媒体、不揮発性の半導体メモリでもよい。
【００８３】
有線／無線通信を用いたプログラムの供給方法としては、次のような方法が考えられる。すなわち、コンピュータネットワーク上のサーバに本発明を形成するコンピュータプログラムそのもの、もしくはプログラムデータファイルを記憶し、接続のあったクライアントコンピュータにプログラムデータファイルをダウンロードするような方法である。
【００８４】
ここで、プログラムデータファイルは、本発明を形成するコンピュータプログラムを圧縮され自動インストール機能を含むファイル等も含む。
【００８５】
この場合、プログラムデータファイルを複数のセグメントファイルに分割し、セグメントファイルを異なるサーバに配置することも可能である。
【００８６】
つまり、本発明の機能処理をコンピュータで実現するためのプログラムデータファイルを複数のユーザに対してダウンロードさせるサーバ装置も本発明に含む。
【００８７】
また、上述の実施形態の機能を実現するプログラムを暗号化し記録媒体に格納してユーザに配布し、所定の条件を満たしたユーザに対して暗号化を解く鍵情報を、ネットワークを介してダウンロードさせることによって供給するような方法も考えられる。その鍵情報を使用することにより暗号化されたプログラムを実行してコンピュータにインストールさせて本発明を実現することも可能である。
【００８８】
コンピュータが供給されたプログラムコードを実行することにより、上述の実施形態の機能が実現される。また、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれる。
【００８９】
さらに、供給されたプログラムコードがコンピュータの機能拡張ボードやコンピュータに接続された機能拡張ユニットに備わるメモリに格納される場合にも本発明に含まれる。また、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図１】
2010252122.tif 000003
【図２】
2010252122.tif 000004
【図３】
2010252122.tif 000005
【図４】
2010252122.tif 000006
【図５】
2010252122.tif 000007
【図６】
2010252122.tif 000008
【図７】
2010252122.tif 000009
【図８】
2010252122.tif 000010
【図９】
2010252122.tif 000011
【図１０】
2010252122.tif 000012
【図１１】
2010252122.tif 000013
【図１２】
2010252122.tif 000014